(57)【要約】【課題】組み立て工程において水平端子に人手が触れる可能性を低コストで低減する。【解決手段】偏向ヨーク４は、水平偏向コイルと、垂直偏向コイル１２と、フェライトコア１３と、水平偏向コイルと垂直偏向コイル１２とを絶縁する絶縁枠１４と、水平偏向コイルの巻線の一端が固定された水平端子１７と、水平端子１７にその一端が固定され且つ水平偏向コイルに水平偏向電流を供給する水平リード線１５と、水平端子１７を保持する端子板１９とを備える。端子板１９及び絶縁枠１４以外に水平端子を覆う部材を用いることなく、水平端子１７は容易に人手が触れないように配置されている。【選択図】図３
2007317395.tif 000002
【特許請求の範囲】
【請求項１】
蛍光体スクリーン、及び前記蛍光体スクリーンに向かって電子ビームを放出する電子銃を備えた陰極線管と、前記陰極線管の外周面上に搭載された偏向ヨークとを備えた陰極線管装置であって、
前記偏向ヨークは、前記電子ビームを水平方向に偏向する水平偏向磁界を発する水平偏向コイルと、前記電子ビームを垂直方向に偏向する垂直偏向磁界を発する垂直偏向コイルと、フェライトコアと、前記水平偏向コイルと前記垂直偏向コイルとを絶縁する絶縁枠と、前記水平偏向コイルの巻線の一端が固定された水平端子と、前記水平端子にその一端が固定され且つ前記水平偏向コイルに水平偏向電流を供給する水平リード線と、前記水平端子を保持する端子板とを備え、
前記端子板及び前記絶縁枠以外に前記水平端子を覆う部材を用いることなく、前記水平端子は容易に人手が触れないように配置されていることを特徴とする陰極線管装置。
【請求項２】
前記水平端子は、前記端子板に対して前記偏向ヨークの中心軸とは反対側に実質的に突出していない請求項１に記載の陰極線管装置。
【請求項３】
前記水平端子は、前記端子板に対して前記偏向ヨークの中心軸側に折り曲げられている請求項１に記載の陰極線管装置。
【発明の詳細な説明】
【技術分野】
【０００１】
本発明は、偏向ヨークを備えた陰極線管装置に関する。
【背景技術】
【０００２】
陰極線管に搭載される偏向ヨークは、図４に示すように、水平偏向のための水平偏向磁界を発する水平偏向コイル（図示せず）、垂直偏向のための垂直偏向磁界を発する垂直偏向コイル３２、水平及び垂直偏向磁界を強めるためのフェライトコア３３、水平偏向コイル及び垂直偏向コイル３２を絶縁するための絶縁枠３４、水平偏向コイルに水平偏向電流を供給するための水平リード線３５、垂直偏向コイル３２に垂直偏向電流を供給するための垂直リード線３６、水平偏向コイルの巻線及び水平リード線３５がからげられて両者を電気接続させるための水平端子３７、垂直偏向コイル３２の巻線及び垂直リード線３６がからげられて両者を電気接続させるための垂直端子３８、水平端子３７及び垂直端子３８を保持する端子板３９を備える。水平端子３７及び垂直端子３８は、端子板３９上に、絶縁枠３４とは反対側に突出するように立設されている（例えば特許文献１参照）。
【０００３】
一般に水平偏向コイルに印加される水平偏向電圧は１ｋＶ以上の高電圧であるため、偏向ヨークを陰極線管に取り付ける際に、作業者が水平端子３７に触れると感電する。これを防止すため、水平端子３７には熱収縮性材料からなり絶縁性の樹脂チューブ４０が被せられる。偏向ヨークの製造工程において、水平端子３７に水平偏向コイルの巻線及び水平リード線３５をからげて半田付けした後に、樹脂チューブ４０を被せて加熱することで樹脂チューブ４０を水平端子３７に密着させて固定する。これにより、水平端子３７は樹脂チューブ４０で覆われるので、作業者が水平端子３７に直接手を触れることがない。
【０００４】
あるいは、図５に示すように、水平端子３７及び垂直端子３８を覆う、感電防止用の樹脂製のカバー４１を端子板３９に取り付ける場合もある（例えば特許文献２参照）。
【特許文献１】実開昭５５−１０８６４８号公報
【特許文献２】特開平９−２１３２３７号公報
【発明の開示】
【発明が解決しようとする課題】
【０００５】
しかしながら、水平端子３７に熱収縮性材料からなる樹脂チューブ４０を被せる方法は、樹脂チューブ４０の材料費の追加、加熱するためのドライヤーなどの高消費電力の装置の使用、樹脂チューブ４０を被せて加熱する工程の増加等により、陰極線管装置のコスト増を招くという問題があった。
【０００６】
また、カバー４１を取り付ける方法は、カバー４１の作成及び取り付け等により、やはり陰極線管装置のコスト増を招くという問題があった。
【０００７】
本発明は上記の従来の問題を解決し、組み立て工程において水平端子に人手が触れる可能性が低減され、且つ、廉価な陰極線管装置を提供することを目的とする。
【課題を解決するための手段】
【０００８】
本発明の陰極線管装置は、蛍光体スクリーン、及び前記蛍光体スクリーンに向かって電子ビームを放出する電子銃を備えた陰極線管と、前記陰極線管の外周面上に搭載された偏向ヨークとを備える。
【０００９】
前記偏向ヨークは、前記電子ビームを水平方向に偏向する水平偏向磁界を発する水平偏向コイルと、前記電子ビームを垂直方向に偏向する垂直偏向磁界を発する垂直偏向コイルと、フェライトコアと、前記水平偏向コイルと前記垂直偏向コイルとを絶縁する絶縁枠と、前記水平偏向コイルの巻線の一端が固定された水平端子と、前記水平端子にその一端が固定され且つ前記水平偏向コイルに水平偏向電流を供給する水平リード線と、前記水平端子を保持する端子板とを備える。
【００１０】
前記端子板及び前記絶縁枠以外に前記水平端子を覆う部材を用いることなく、前記水平端子は容易に人手が触れないように配置されていることを特徴とする。
【発明の効果】
【００１１】
本発明によれば、従来の熱収縮チューブやカバーを用いることなく、水平端子が人手に触れる可能性を低減することが出来るので、部品点数や工数の増加を招くことなく、廉価に、組み立て工程における水平端子に対する安全性を確保することが出来る。
【発明を実施するための最良の形態】
【００１２】
上記の本発明の陰極線管装置において、前記水平端子は、前記端子板に対して前記偏向ヨークの中心軸とは反対側に実質的に突出していないことが好ましい。これにより、水平端子に人手が容易に触れ得ない状態を容易に実現することが出来る。
【００１３】
前記水平端子は、前記端子板に対して前記偏向ヨークの中心軸側に折り曲げられていることが好ましい。これにより、端子板及び絶縁枠以外に水平端子を覆う部材を用いることなく、簡単且つ低コストに、水平端子に人手が容易に触れ得ない状態を実現することが出来る。
【００１４】
以下、本発明を実施の形態を示しながら説明する。
【００１５】
図１は本発明に係る陰極線管装置の一例の概略構成を示す片断面図である。
【００１６】
図１に示すように、この陰極線管装置は、前面パネル１及びファンネル２が接合された外囲器を有する陰極線管と、この陰極線管のファンネル２の外周面上に搭載された偏向ヨーク４とを備える。前面パネル１の内面には蛍光体スクリーン１Ａが形成されており、ファンネル２の最細部であるネック部３内には、蛍光体スクリーン１Ａに向かって電子ビーム７を放出する電子銃６が収納されている。
【００１７】
ファンネル２の前面パネル１との接合部とネック部３との間の外径が変化する部分の外周面上に偏向ヨーク４が搭載されている。偏向ヨーク４は、サドル型の水平偏向コイル１１とトロイダル型の垂直偏向コイル１２とフェライトコア１３と絶縁枠１４とを備えている。水平偏向コイル１１は電子ビーム７を水平方向に偏向する水平偏向磁界を発し、垂直偏向コイル１２は電子ビーム７を垂直方向に偏向する垂直偏向磁界を発する。フェライトコア１３は水平偏向磁界及び垂直偏向磁界を強める。絶縁枠１４は、樹脂材料からなり、水平偏向コイル１１と垂直偏向コイル１２との間に配置されて、水平偏向コイル１１と垂直偏向コイル１２との間の電気的な絶縁状態を維持すると共に、両偏向コイル１１，１２を支持する。
【００１８】
電子銃６から射出される電子ビーム７はこの水平偏向磁界及び垂直偏向磁界により水平方向及び垂直方向に偏向されて、蛍光体スクリーン１Ａ上を走査する。
【００１９】
ネック部３の外周面上には、画面中央における電子ビームの静コンバーゼンス調整およびピュリティー調整を行うためのＣＰＵ（Convergence and Purity Unit）５が設けられている。ＣＰＵ５は電子ビームに対して磁界を印加する２極、４極、６極の各マグネットリングを備えており、電子銃６が内蔵されているファンネル２のネック部３の外周面上に取り付けられる。
【００２０】
図２は組み立て途中の偏向ヨークの外観斜視図である。偏向ヨーク４の中心軸（これは偏向ヨーク４が搭載される陰極線管の管軸と一致する）Ｚに対してほぼ平行に平板状の端子板１９が絶縁枠１４に固定されている。端子板１９の中心軸Ｚ側の面を裏面、中心軸Ｚとは反対側の面を表面と呼ぶ。端子板１９の表面には、２本の水平端子１７と３本の垂直端子１８が立設されている。２本の水平端子１７は端子板１９の両側端に位置する。各水平端子１７に、水平偏向コイル１１の巻線の一端（巻き始め端又は巻き終わり端）と、水平偏向コイル１１に水平偏向電流を供給する水平リード線１５の一端とをそれぞれからげる。各垂直端子１８に、垂直偏向コイル１２の巻線の一端（巻き始め端又は巻き終わり端）と、垂直偏向コイル１２に垂直偏向電流を供給する垂直リード線１６の一端とをそれぞれからげる。この状態で、水平端子１７及び垂直端子１８を同時に半田槽に浸漬して半田付けする。これにより、水平端子１７上にて水平偏向コイル１１の巻線と水平リード線１５とが電気的に接続され、同時に、垂直端子１８上にて垂直偏向コイル１２の巻線と垂直リード線１６とが電気的に接続される。この状態では、端子板１９の表面上に水平端子１７及び垂直端子１８が突出しているので、水平端子１７及び垂直端子１８に人手が容易に触れる可能性が高い。以上は、従来の偏向ヨークの組み立てとほとんど同じである。
【００２１】
本発明では、その後、図３に示すように、水平端子１７は端子板１８の裏面側に約１８０度折り返される。この結果、水平端子１７は端子板１８の表面側には実質的に突出しなくなる。水平端子１７は、端子板１８の裏面側には突出するが、端子板１８の裏面側に突出した水平端子１７に人手が触れる可能性は低い。従って、従来のような樹脂チューブ４０や樹脂カバー４１を取り付けることなく、水平端子１７を容易に人手が触れ得ない状態にすることが出来る。
【００２２】
端子板１８の水平端子１７が設置された位置の近傍の側端に切り欠き２０を形成し、水平端子１７を端子板１８の裏面側に折り返す際に、水平端子１７をこの切り欠き２０内に収納しても良い。これにより、水平端子１７に人手が触れる可能性を更に低減することが出来る。
【００２３】
また、水平偏向コイル１１の巻線及び／又は水平リード線１５を案内するための溝２１を端子板１８の裏面側の絶縁枠１４に形成し、水平端子１７を端子板１８の裏面側に折り返す際に、水平端子１７をこの溝２１内に収納しても良い。これにより、水平端子１７に人手が触れる可能性を更に低減することが出来る。
【産業上の利用可能性】
【００２４】
本発明の利用分野は特に制限はなく、テレビジョンまたはコンピュータディスプレイ等に用いられる陰極線管装置に広く利用することが出来る。
【図面の簡単な説明】
【００２５】
【図１】図１は、本発明の一実施形態に係る陰極線管装置の片断面図である。
【図２】図２は、本発明の一実施形態に係る陰極線管装置に搭載される偏向ヨークの組み立て途中の状態を示した斜視図である。
【図３】図３は、本発明の一実施形態に係る陰極線管装置に搭載される偏向ヨークの斜視図である。
【図４】図４は、従来の偏向ヨークの一例の斜視図である。
【図５】図５は、従来の偏向ヨークの別の例の斜視図である。
【符号の説明】
【００２６】
１…前面パネル
１Ａ…蛍光体スクリーン
２…ファンネル
３…ネック部
４…偏向ヨーク
５…ＣＰＵ（Convergence and Purity Unit）
６…電子銃
７…電子ビーム
１１…水平偏向コイル
１２…垂直偏向コイル
１３…フェライトコア
１４…絶縁枠
１５…水平リード線
１６…垂直リード線
１７…水平端子
１８…垂直端子
１９…端子板
２０…切り欠き
２１…溝
３２…垂直偏向コイル
３３…フェライトコア
３４…絶縁枠
３５…水平リード線
３６…垂直リード線
３７…水平端子
３８…垂直端子
３９…端子板
４０…熱収縮性の樹脂チューブ
４１…カバー
【図１】
2007317395.tif 000003
【図２】
2007317395.tif 000004
【図３】
2007317395.tif 000005
【図４】
2007317395.tif 000006
【図５】
2007317395.tif 000007